(57)【特許請求の範囲】
【請求項１】
原稿を読み取って画像データを出力するイメージスキャナと、
この画像データを電子写真方式で顕像化して画像形成を行うプリンタエンジンと、
前記イメージスキャナおよび前記プリンタエンジンを制御するメイン制御部と、
を備えている画像形成装置において、
前記画像形成装置に外部機器を接続する接続部と、
前記イメージスキャナ、前記プリンタエンジンおよび前記メイン制御部に電力を供給する電源部と、
この電力の供給、遮断を指示する操作部と、
この操作部からの指示または前記接続部を介して前記外部機器から送られてくる指示に応じて前記電源部を制御する電源制御部と、
を備えていて、
前記メイン制御部は、前記電源制御部が前記イメージスキャナ、前記プリンタエンジンおよび前記メイン制御部に対する前記電源部からの電力供給が遮断されている状態で前記指示を受け取ったときに、この指示が前記外部機器から送られてくる前記イメージスキャナへの動作要求であったときは、前記プリンタエンジンの異常検出は前記イメージスキャナへの要求動作の終了後に処理することを特徴とする画像形成装置。
【請求項２】
原稿を読み取って画像データを出力するイメージスキャナと、
この画像データを電子写真方式で顕像化して画像形成を行うプリンタエンジンと、
前記イメージスキャナおよび前記プリンタエンジンを制御するメイン制御部と、
を備えている画像形成装置において、
前記画像形成装置に外部機器を接続する接続部と、
前記イメージスキャナ、前記プリンタエンジンおよび前記メイン制御部に電力を供給する電源部と、
この電力の供給、遮断を指示する操作部と、
この操作部からの指示または前記接続部を介して前記外部機器から送られてくる指示に応じて前記電源部を制御する電源制御部と、
を備えていて、
前記メイン制御部は、前記電源制御部が前記イメージスキャナ、前記プリンタエンジンおよび前記メイン制御部に対する前記電源部からの電力供給が遮断されている状態で前記指示を受け取ったときに、この指示が前記外部機器から送られてくる前記プリンタエンジンへの動作要求であったときは、前記イメージスキャナの異常検出は前記プリンタエンジンへの要求動作の終了後に処理することを特徴とする画像形成装置。
【発明の詳細な説明】
【０００１】
【発明の属する技術分野】
この発明は、電子写真方式の画像形成装置に関する。
【０００２】
【従来の技術】
従来より、省エネルギーモードを備えた画像形成装置が知られている。この画像形成装置においては、省エネルギーモードヘの移行は、操作部等に配置された手動スイッチにより実行され、また、復帰は手動スイッチの再押下、あるいは外部Ｉ／Ｆ（パソコンに接続されるプリンタユニットやファクシミリ機能を有するファックスユニット）からの復帰要求により実行されることは周知である。
【０００３】
省エネルギーモードヘの移行は、操作部に配置された主電源スイッチにより行われ、主電源スイッチが押下されると、電源制御部はパワーリレースイッチをオフする。これにより主電源部からの電力供給が停止され、メイン制御部、イメージスキャナ、プリンタエンジンは非通電状態（省エネルギーモード）となる。また、省エネルギーモードからの復帰は、主電源スイッチの再押下、プリンタユニットからの復帰要求あるいはファックスユニットからの復帰要求のいずれかにより、電源制御部はパワーリレースイッチをオンする。これにより、主電源部からの電力供給が行われ、メイン制御部、イメージスキャナ、プリンタエンジンは通電状態(通常モード)となる。
【０００４】
【発明が解決しようとする課題】
前記従来技術において、省エネルギーモードからの復帰時、電源供給再開によりメイン制御部は通常の起動シーケンスを実行する。複写機等の画像形成装置では、電源投入時に画像読み取りを行うイメージスキャナ、画像出力を行うプリンタエンジンが個々の状態をチェックし、特定タイミングでメイン制御部と通信を行うことでシステム全体の異常検出を行っている。
【０００５】
ユーザが主電源スイッチの再押下により、省エネルギーモードからの復帰を指示した場合は、複写機としての機能を要求する場合であり、イメージスキャナ、プリンタエンジンの両方の機能を必要とする。一方、プリンタユニットからの省エネルギーモードからの復帰命令の場合は、イメージスキャナで読みとった画像データをパソコンに取り込む場合とパソコンで生成した画像データをプリンタエンジンから出力する場合である。また、ファックスユニットからの復帰命令の場合は、ファクシミリ受信した画像データをエンジン部から出力する場合である
つまり、プリンタユニットあるいはファックスユニットからの復帰命令の場合、イメージスキャナとプリンタエンジンの両方の機能を要求されているのではなく、イメージスキャナあるいはプリンタエンジンのいずれかの機能を要求されている場合である。
【０００６】
しかしながら、通常の復帰シーケンスではイメージスキャナとプリンタエンジンの少なくともどちらかに異常が発生しているときは、イメージスキャナあるいはプリンタエンジンのいずれかのみの機能を要求されている場合であっても、プリンタユニットあるいはファックスユニットからの動作要求に答えることができるのにもかかわらず、プリンタユニットあるいはファックスユニットに対し、画像形成装置はエラーを返すという不具合があった。
【０００７】
本発明は、イメージスキャナとプリンタエンジンのうちの一方に異常がある場合でも、他方の機器に対する外部機器からの動作要求があれば動作可能である画像形成装置を提供することにある。
【００１０】
【課題を解決するための手段】
請求項１に記載の発明は、原稿を読み取って画像データを出力するイメージスキャナと、この画像データを電子写真方式で顕像化して画像形成を行うプリンタエンジンと、前記イメージスキャナおよび前記プリンタエンジンを制御するメイン制御部と、を備えている画像形成装置において、前記画像形成装置に外部機器を接続する接続部と、前記イメージスキャナ、前記プリンタエンジンおよび前記メイン制御部に電力を供給する電源部と、この電力の供給、遮断を指示する操作部と、この操作部からの指示または前記接続部を介して前記外部機器から送られてくる指示に応じて前記電源部を制御する電源制御部と、を備えていて、前記メイン制御部は、前記電源制御部が前記イメージスキャナ、前記プリンタエンジンおよび前記メイン制御部に対する前記電源部からの電力供給が遮断されている状態で前記指示を受け取ったときに、この指示が前記外部機器から送られてくる前記イメージスキャナへの動作要求であったときは、前記プリンタエンジンの異常検出は前記イメージスキャナへの要求動作の終了後に処理することを特徴とする。
【００１１】
したがって、プリンタエンジンに異常がある場合に、イメージスキャナに対する外部機器からの動作要求があっても動作可能である。
【００１２】
請求項２に記載の発明は、原稿を読み取って画像データを出力するイメージスキャナと、この画像データを電子写真方式で顕像化して画像形成を行うプリンタエンジンと、前記イメージスキャナおよび前記プリンタエンジンを制御するメイン制御部と、を備えている画像形成装置において、前記画像形成装置に外部機器を接続する接続部と、前記イメージスキャナ、前記プリンタエンジンおよび前記メイン制御部に電力を供給する電源部と、この電力の供給、遮断を指示する操作部と、この操作部からの指示または前記接続部を介して前記外部機器から送られてくる指示に応じて前記電源部を制御する電源制御部と、を備えていて、前記メイン制御部は、前記電源制御部が前記イメージスキャナ、前記プリンタエンジンおよび前記メイン制御部に対する前記電源部からの電力供給が遮断されている状態で前記指示を受け取ったときに、この指示が前記外部機器から送られてくる前記プリンタエンジンへの動作要求であったときは、前記イメージスキャナの異常検出は前記プリンタエンジンへの要求動作の終了後に処理することを特徴とする。
【００１３】
したがって、イメージスキャナに異常がある場合に、プリンタエンジンに対する外部機器からの動作要求があっても動作可能である。
【００１４】
【発明の実施の形態】
以下、本発明の一実施の形態について図面を用いて説明する。図１は、この発明の一実施の形態である画像形成装置のブロック図である。図１に示すように、本画像形成装置１は，ＣＰＵ２を搭載し画像形成装置１の全体の制御および外部Ｉ／Ｆとの通信処理を行うマイクロコンピュータであるメイン制御部３と、原稿を読み取り電気的な画像データに変換するイメージスキャナ４と、画像データを電子写真方式で顕像化して転写紙に出力するプリンタエンジン５と、オペレータが画像形成装置１を操作するための操作部６とを備えている。
【００１５】
また、パソコンのオンラインプリンタとして本画像形成装置１を使用する場合に、図示しない外部機器としてのパソコンとメイン制御部３とのＩ／Ｆ機能を有するこの発明の接続部であるプリンタユニット７と、ファクシミリ受信機として本画像形成装置１を使用する場合に、図示しない外部機器としてのモデムとメイン制御部３とのＩ／Ｆ機能を有するこの発明の接続部であるファックスユニット８が搭載されており、ＣＰＵ２はこのプリンタユニット７、ファックスユニット８の各々に搭載された図示しない制御部と通信を行う。
【００１６】
画像形成装置１の各部ヘは、主電源部９あるいは補助電源部１０により電源供給が行われており、メイン制御部３、イメージスキャナ４、プリンタエンジン５および操作部６には、この発明の電源部である主電源部９からパワーリレースイッチ１１を介して電力が供給される。パワーリレースイッチ１１は、マイクロコンピュータよりなる電源制御部１２に搭載されるサブＣＰＵ１３によって制御されており、パワーリレースイッチ１１がオフすると主電源部９からの各部ヘの電力供給は遮断される。また、プリンタユニット７、ファックスユニット８、電源制御部１２には、補助電源部１０から電力が供給されている。
【００１７】
操作部６には、オペレータが本画像形成装置１を省エネルギーモードヘ移行させるために用いる主電源スイッチ１４が配置されており、操作部６の中で唯一、主電源スイッチ１４には電源制御部１２を介して補助電源部１０から電力が供給されている。
【００１８】
図１において、省エネルギーモードヘの移行は、操作部６に配置される主電源スイッチ１４により行われる。主電源スイッチ１４が押下されると、電源制御部１２はパワーリレースイッチ１１をオフする。これにより主電源部９からの電力供給が停止され、メイン制御部３、イメージスキャナ４、プリンタエンジン５、操作部６は非通電状態（省エネルギーモード）となる。また、省エネルギーモードからの復帰は、主電源スイッチ１４の再押下、プリンタユニット７からの復帰要求あるいはファックスユニット８からの復帰要求のいずれかにより、電源制御部１２がパワーリレースイッチ１１をオンして行う。これにより、主電源部９からの電力供給が行われ、メイン制御部３、イメージスキャナ４、プリンタエンジン５は通電状態（通常モード）となる。
【００１９】
以上のような構成の画像形成装置１の動作について以下に説明する。図２は、従来の画像形成装置における省エネルギーモードからの復帰動作のフローチャートであり、図３〜図５は本実施の形態の画像形成装置１における省エネルギーモードからの復帰動作のフローチャートである。
【００２０】
最初に従来の画像形成装置の復帰動作の処理を図２を用いて説明する。主電源スイッチ１４の押下により省エネルギーモードに移行した状態において、主電源スイッチ１４の再押下、プリンタユニット７からの復帰要求あるいはファックスユニット８からの復帰要求のいずれかを電源制御部１２に実装されたサブＣＰＵ１３が検出すると、パワーリレースイッチ１１をオンし、メイン制御部３への電力供給が再開され、図２に示す復帰処理が為される。
【００２１】
すなわち、図２に示すように、まず、ＣＰＵ２の初期化処理、すなわち、ＣＰＵ２のモード設定、クロックシンセサイザの設定、割り込み許可等を行う（ステップＳ１）。次に、図示しない通信デバイスの初期化を行い、操作部６、イメージスキャナ４、プリンタエンジン５との通信処理を可能とする（ステップＳ２）。そして、操作部６の図示しない表示デバイスの初期化を行い（ステップＳ３）、操作部６へ初期画面を表示する（ステップＳ４）。次に、プリンタエンジン５との通信処理を実行し（ステップＳ５）、プリンタエンジン５のエラー検出を行う（ステップＳ６）。プリンタエンジン５のエラー検出がなければ（ステップＳ６のＮ）、ステップ７に進む。ステップ７ではイメージスキャナ４との通信処理を実行し、ステップ８でイメージスキャナ４のエラー検出を行う。ステップ８でイメージスキャナ４からのエラー通知を受信しなければ（ステップＳ８のＮ）、ステップ９に進む。最後にステップ９で外部Ｉ／Ｆ(プリンタユニット７やファックスユニット８)との通信を許可する。プリンタエンジン５あるいはイメージスキャナ４のエラーを検出した場合は（ステップＳ６のＹ、ステップＳ８のＹ）、ステップ１０に進み、検出したエラーを操作部６へ表示する。
【００２２】
次に、本実施の形態の画像形成装置１の復帰動作の処理を図３〜図６を用いて説明する。主電源スイッチ１４の押下により省エネルギーモードに移行した状態において、主電源スイッチ１４の再押下、プリンタユニット７からの復帰要求あるいはファックスユニット８からの復帰要求のいずれかを電源制御部１２に実装されるサブＣＰＵ１３が検出すると、パワーリレースイッチ１１をオンし、メイン制御部３への電力供給が再開され、図３に示す復帰処理が為される。
【００２３】
すなわち、図３において、まず、ＣＰＵ２の初期化処理、すなわち、ＣＰＵ２のモード設定、クロックシンセサイザの設定、割り込み許可等を行う（ステップＳ１１）。次に、図示しない通信デバイスの初期化を行い（ステップＳ１２）、操作部６、イメージスキャナ４、プリンタエンジン５との通信処理を可能とする。次に、省エネルギーモードからの復帰要求先が主電源スイッチ１４の再押下によるものであるのか、プリンタユニットあるいはファックスユニット８からの復帰要求によるものであるのかのチェックを行う（ステップＳ１３）。そして、操作部６の図示しない表示デバイスの初期化を行い（ステップＳ１４）、操作部６へ初期画面を表示する（ステップＳ１５）。なお、ステップ１３での復帰要求先チェックは、サブＣＰＵ１３との図示しない通信手段を設けて行ってもよいし、サブＣＰＵ１３とＣＰＵ２が共通にアクセスできる図示しない記憶媒体に書き込んでもよい。
【００２４】
ここで、ステップＳ１３で省エネルギーモードへの復帰要求先が主電源スイッチ１４の再押下によるものであった場合、図４のフローチャートに従って通常の復帰動作の処理を行う。すなわち、図４において、まず、プリンタエンジン５との通信処理を実行し（ステップＳ２１）、プリンタエンジン５のエラー検出を行う（ステップＳ２２）。そして、プリンタエンジン５のエラー検出がなければ（ステップＳ２２のＮ）、ステップ２３に進む。次に、イメージスキャナ４との通信処理を実行し（ステップＳ２３）、イメージスキャナ４のエラー検出を行う（ステップＳ２４）。イメージスキャナ４のエラー検出がなければ（ステップＳ２４のＮ）、ステップ２５に進む。最後にステップ２５で外部Ｉ／Ｆ(プリンタユニット７やファックスユニット８)との通信を許可する。プリンタエンジン５あるいはイメージスキャナ４のエラーを検出した場合は（ステップＳ２２のＹ、ステップＳ２４のＹ）、ステップ２６に進み、検出したエラーを操作部６へ表示する。
【００２５】
ステップ１３で省エネルギーモードからの復帰要求先がプリンタユニット７によるものであった場合で、かつ、イメージスキャナ４からの画像データ読み込み命令であった場合、図５のフローチャートに従い、復帰処理を行う。すなわち、図５において、まず、イメージスキャナ４との通信処理を実行し（ステップＳ３１）、イメージスキャナ４のエラー検出を行う（ステップＳ３２）。イメージスキャナ４のエラーを検出しなければ（ステップＳ３２のＮ）、外部Ｉ／Ｆ(プリンタユニット７やファックスユニット８)との通信を許可する（ステップＳ３３）。そして、プリンタユニット７からの要求タスク、すなわちイメージスキャナ４からの画像データ読み込み命令を実行し（ステップＳ３４）、処理が完了したところでステップ３５に進む。ステップ３５でプリンタエンジン５との通信処理を実行し、プリンタエンジン５のエラー検出を行う（ステップＳ３６）。ステップ３２、ステップ３６でプリンタエンジン５あるいはイメージスキャナ４のエラーを検出した場合はステップ３７に進み、検出したエラーを操作部６へ表示する。
【００２６】
このように、ステップＳ１３で省エネルギーモードからの復帰要求先を判断し、復帰要求先情報がプリンタユニット７からであった場合で、かつイメージスキャナ４からの画像データ読み込み命令であった場合、プリンタエンジン５のエラー検出ルーチンより先に要求先であるプリンタユニット７の要求タスクを実行する。これにより、万が一プリンタエンジン５に何らかのエラーが発生していたとしても、タスク処理対象であるイメージスキャナ４が正常状態であればプリンタユニット７の要求タスクを実行可能となる。
【００２７】
次に、ステップ１３で省エネルギーモードからの復帰要求先がプリンタユニット７によるものであった場合で、かつ、プリンタエンジン５への画像データ出力命令であった場合、あるいは、復帰要求先情報がファックスユニット８からであった場合、図６のフローチャートに従い、復帰処理を行う。すなわち、図６において、まず、プリンタエンジン５との通信処理を実行し（ステップＳ４１）、プリンタエンジン５のエラー検出を行う（ステップＳ４２）。そして、プリンタエンジン５のエラー検出がなければ（ステップＳ４２のＮ）、ステップ４３に進み、外部Ｉ／Ｆ(プリンタユニット７やファックスユニット８)との通信を許可する。そして、プリンタユニット７あるいはファックスユニット８からの要求タスク、すなわちプリンタエンジン５への画像データ出力命令を実行し（ステップＳ４４）、処理が完了したところでステップ４５に進む。そして、イメージスキャナ４との通信処理を実行し（ステップＳ４５）、イメージスキャナ４のエラー検出を行う（ステップＳ４６）。ステップ４２、ステップ４６でプリンタエンジン５あるいはイメージスキャナ４のエラーを検出した場合はステップ４７に進み、検出したエラーを操作部６へ表示する。
【００２８】
このように、ステップＳ１３で省エネルギーモードからの復帰要求先を判断し、復帰要求先情報がプリンタユニット７からであった場合で、かつプリンタエンジン５への画像データ出力命令であった場合、あるいは復帰要求先情報がファックスユニット８からであった場合、イメージスキャナ４のエラー検出ルーチンより先に要求先であるプリンタユニット７あるいはファックスユニット８の要求タスクを実行する。これにより、万が一イメージスキャナ４に何らかのエラーが発生していたとしても、タスク処理対象であるプリンタエンジン５が正常状態であればプリンタユニット７あるいはファックスユニット８の要求タスクが実行可能である。
【００３０】
【発明の効果】
請求項１に記載の発明は、プリンタエンジンに異常がある場合に、イメージスキャナに対する外部機器からの動作要求があっても動作可能である。
【００３１】
請求項２に記載の発明は、イメージスキャナに異常がある場合に、プリンタエンジンに対する外部機器からの動作要求があっても動作可能である。
【図面の簡単な説明】
【図１】この発明の一実施の形態である画像形成装置のブロック図である。
【図２】従来の画像形成装置の動作を説明するフローチャートである。
【図３】この発明の一実施の形態である画像形成装置の動作を説明するフローチャートである。
【図４】前記画像形成装置の動作を説明するフローチャートである。
【図５】前記画像形成装置の動作を説明するフローチャートである。
【図６】前記画像形成装置の動作を説明するフローチャートである。
【符号の説明】
１      画像形成装置
３      メイン制御部
４      イメージスキャナ
５      プリンタエンジン
６      操作部
７      接続部
８      接続部
９      電源部
１２    電源制御部
【図１】
0003914346.tif 000002
【図２】
0003914346.tif 000003
【図３】
0003914346.tif 000004
【図４】
0003914346.tif 000005
【図５】
0003914346.tif 000006
【図６】
0003914346.tif 000007